(57)【要約】【課題】異物の発生を抑制することができるシート状物の製造方法を提供すること。【解決手段】電極１４の製造方法は、ロータリーダイカッタ２１とローラ２２との間に電極材料１７を挟み込んでフレキシブルダイ２３を電極材料１７に押し当てた際に電極材料１７に発生する応力を計測・解析する工程と、計測・解析された応力を反映させた応力分布図を作成する工程と、を有する。また、電極１４の製造方法は、作成された応力分布図を立体化する工程と、立体化された応力分布図を、スポンジに反映させた弾性部材３０を製造する工程と、弾性部材３０をロータリーダイカッタ２１のフレキシブルダイ２３に装着し、弾性部材３０を介したフレキシブルダイ２３によって、電極材料１７を打ち抜く工程と、を含む。【選択図】図２
2017024119.tif 000002
【特許請求の範囲】
【請求項１】
外周面から突出した刃を有するロータリーダイカッタと、
前記刃及び前記ロータリーダイカッタの外周面に対向して配置されたローラと、を有し、
前記ロータリーダイカッタと前記ローラとの間に長尺材料を挟み込んで、前記刃によって前記長尺材料からシート状物を打ち抜くロータリーダイカット装置によるシート状物の製造方法であって、
前記ロータリーダイカッタと前記ローラとの間に長尺材料を挟み込んで前記刃を前記長尺材料に押し当てた際に前記長尺材料に発生する応力を計測・解析する工程と、
計測・解析された応力を反映させた応力分布図を作成する工程と、
前記応力分布図を立体化する工程と、
立体化された前記応力分布図を、弾性を有する材料に反映させた弾性部材を製造する工程と、
前記弾性部材を前記ロータリーダイカッタに装着し、前記弾性部材を介した前記刃によって、前記長尺材料を打ち抜く工程と、を含むことを特徴とするロータリーダイカット装置によるシート状物の製造方法。
【請求項２】
前記長尺材料は、帯状金属箔に活物質の層を設けた電極材料である請求項１に記載のロータリーダイカット装置によるシート状物の製造方法。
【請求項３】
前記ロータリーダイカッタの外周面からの前記刃の突出量である高さをＬ、前記長尺材料の厚みをＴ、前記弾性部材が前記ロータリーダイカッタからの荷重を受けて弾性変形したときの厚みをＨとすると、Ｌ＞Ｔ＋Ｈが成立する請求項１又は請求項２に記載のロータリーダイカット装置によるシート状物の製造方法。
【発明の詳細な説明】
【技術分野】
【０００１】
本発明は、ロータリーダイカッタとローラとの間に長尺材料を挟み込んで、長尺材料からシート状物を打ち抜くロータリーダイカット装置によるシート状物の製造方法に関する。
【背景技術】
【０００２】
蓄電装置の一種である二次電池としては、リチウムイオン二次電池や、ニッケル水素二次電池などが知られている。例えば、リチウムイオン二次電池は、ケースを備えるとともに、このケース内に、シート状の電極を積層した電極組立体を備えている。シート状の電極の製造は、一例として、活物質、導電剤、溶媒及びバインダを混合した活物質ペーストを長尺状の金属箔の表面に塗布する。次に、活物質ペーストを乾燥させて活物質の層を形成し、金属箔と活物質の層とを有する長尺状の電極材料を形成する。次に、電極材料を電極の形状に打ち抜いて、電極を製造する。
【０００３】
電極のようなシート状物を材料から打ち抜く方法としては、材料に対し型の刃を押し当てるダイカット方式が挙げられる。ダイカット方式としては、平板状のフラットダイカッタの刃全体を一括して材料に押し当てて打ち抜くフラットダイカット方式と、円柱状のロータリーダイカッタの刃を、ロータリーダイカッタの回転と共に順番に押し当てて打ち抜くロータリーダイカット方式とがある。
【０００４】
フラットダイカット方式では、材料が打ち抜き場所に搬送されてくると、その搬送を停止させ、打ち抜き場所で刃を材料に押し当ててシート状物を打ち抜く。その後、刃を材料から離間させた後、打ち抜かれたシート状物とともに材料を打ち抜き場所から移動させる。これに対し、ロータリーダイカット方式では、打ち抜き場所に搬送されてくる材料に刃を押し当てていくため、材料の搬送を停止させることなく、打ち抜きを行うことができ、生産性がよい。よって、ロータリーダイカット方式を使用したシート状物の製造方法が採用されやすい。
【０００５】
ロータリーダイカット装置としては、例えば、特許文献１に開示のものがある。特許文献１に開示のロータリーダイカット装置は、略円柱形状をなすロータリーダイ（ロータリーダイカッタ）とローラとを備える。ロータリーダイは、シート状物の外形に沿う形状の刃を外周面に備える。そして、ロータリーダイカット装置では、回転するロータリーダイとローラとの間に、シート状の長尺材料を挟み込むようにして送り込むことで、ロータリーダイの刃とローラの外周面との間で長尺材料が挟み込まれ、刃によってシート状物が打ち抜かれる。
【先行技術文献】
【特許文献】
【０００６】
【特許文献１】特許第４３３３００７号公報
【発明の概要】
【発明が解決しようとする課題】
【０００７】
ところで、ロータリーダイカット装置では、ロータリーダイの回転に伴い刃の一部が順番に長尺材料に押し当てられていく。このため、刃の一部が長尺材料に押し当てられたタイミングで、長尺材料に対し刃が線接触する部位と、点接触する部位が存在する。ロータリーダイから長尺材料に加わる荷重が同じであると、長尺材料において、刃が点接触する部位の方が、線接触する部位に比べて面圧が高くなる。このため、刃が点接触する部位では、電極製造の際には、金属箔から針状のバリが発生したり、活物質が脱落したりして、異物が発生してしまう。
【０００８】
本発明は、このような従来の技術に存在する問題点に着目してなされたものであり、その目的は、異物の発生を抑制することができるシート状物の製造方法を提供することにある。
【課題を解決するための手段】
【０００９】
上記問題点を解決するためのロータリーダイカット装置によるシート状物の製造方法は、外周面から突出した刃を有するロータリーダイカッタと、前記刃及び前記ロータリーダイカッタの外周面に対向して配置されたローラと、を有し、前記ロータリーダイカッタと前記ローラとの間に長尺材料を挟み込んで、前記刃によって前記長尺材料からシート状物を打ち抜くロータリーダイカット装置によるシート状物の製造方法であって、前記ロータリーダイカッタと前記ローラとの間に長尺材料を挟み込んで前記刃を前記長尺材料に押し当てた際に前記長尺材料に発生する応力を計測・解析する工程と、計測・解析された応力を反映させた応力分布図を作成する工程と、前記応力分布図を立体化する工程と、立体化された前記応力分布図を、弾性を有する材料に反映させた弾性部材を製造する工程と、前記弾性部材を前記ロータリーダイカッタに装着し、前記弾性部材を介した前記刃によって、前記長尺材料を打ち抜く工程と、を含むことを要旨とする。
【００１０】
これによれば、ロータリーダイカッタの回転に伴い刃の一部が長尺材料に押し当てられていく際、長尺材料に対し刃が線接触する部位と、点接触する部位が存在し、長尺材料に発生する応力が異なる。そこで、刃の部位毎に長尺材料に発生する応力を計測・解析して応力分布図を作成し、応力分布を反映させて弾性部材を製造した。弾性部材では、長尺材料に発生する応力が高くなる部位ほど厚みを厚くし、応力が低くなる部位ほど厚みを薄くするようにした。
【００１１】
弾性部材をロータリーダイカッタに装着して長尺材料を打ち抜く工程では、弾性部材を介して刃が長尺材料に押し当てられると、弾性部材は圧縮し、原形状への復帰力が発生する。弾性部材の厚みが厚いほど原形状への復帰力が大きくなり、長尺材料への刃の押し当て力を弱めることができ、長尺材料に発生する応力を低くすることができる。このように刃の部位に対応して弾性部材の厚みを調節することで、長尺材料への刃の押し当て力を均し、長尺材料の局所に押し当て力が集中することを抑制できる。その結果として、長尺材料への刃の局当たりを原因とした異物の発生を抑制することができる。
【００１２】
また、ロータリーダイカット装置によるシート状物の製造方法について、前記長尺材料は、帯状金属箔に活物質の層を設けた電極材料である。
これによれば、厚み調節した弾性部材をロータリーダイカッタに装着して打ち抜くことで、電極材料への刃の局当たりを抑制できる。その結果として、帯状金属箔からのバリの発生や、活物質の脱落を抑制することができる。
【００１３】
また、ロータリーダイカット装置によるシート状物の製造方法について、前記ロータリーダイカッタの外周面からの前記刃の突出量である高さをＬ、前記長尺材料の厚みをＴ、前記弾性部材が前記ロータリーダイカッタからの荷重を受けて弾性変形したときの厚みをＨとすると、Ｌ＞Ｔ＋Ｈが成立する。
【００１４】
これによれば、長尺材料に発生する応力が最大となるときの弾性部材の厚みＨは、最も厚みが薄くなる。このとき、刃の高さＬ及び長尺材料の厚みＴは一定であるため、式（Ｌ＞Ｔ＋Ｈ）が成立するように弾性部材の厚みＨを式から設定することで、弾性部材が弾性変形しても刃によって長尺材料を打ち抜くことができる。
【発明の効果】
【００１５】
本発明によれば、異物の発生を抑制することができる。
【図面の簡単な説明】
【００１６】
【図１】電極材料及び電極を示す平面図。
【図２】ロータリーダイカット装置を模式的に示す斜視図。
【図３】（ａ）はロータリーダイカッタの軸線方向に沿った部分断面図、（ｂ）はロータリーダイカッタの径方向に沿った部分断面図。
【図４】フレキシブルダイを平面的に示すためのロータリーダイカッタの展開図。
【図５】（ａ）は図４の５ａ−５ａ線断面図に電極材料を合わせた図、（ｂ）は図４の５ｂ−５ｂ線断面図に電極材料を合わせた図、（ｃ）は図４の５ｃ−５ｃ線断面図に電極材料を合わせた図。
【図６】製造方法を示すフローチャート。
【発明を実施するための形態】
【００１７】
以下、ロータリーダイカット装置によるシート状物の製造方法を、ロータリーダイカット装置による電極の製造方法に具体化した一実施形態を図１〜図６にしたがって説明する。
【００１８】
まず、シート状物である電極を備える蓄電装置としての二次電池について説明する。図示しないが、二次電池は外観が角型をなす角型電池であり、リチウムイオン電池である。二次電池は、ケース内に電極組立体を備える。電極組立体は、複数の正極の電極と、複数の負極の電極とが、両者の間を絶縁した状態で交互に積層されて構成されている。図１に示すように、正極及び負極の電極１４は、それぞれ矩形状の金属箔１５（正極はアルミニウム箔、負極は銅箔）の両面に活物質層１６を備える。電極１４は、金属箔１５の一辺の一部から突出した形状のタブ１８を備える。このような電極１４は、長尺状の電極材料をロータリーダイカット装置で打ち抜いて製造される。
【００１９】
次に、ロータリーダイカット装置について説明する。
図２に示すように、ロータリーダイカット装置２０は、長尺材料としての電極材料を打ち抜いて電極１４を製造するための装置である。電極材料１７は、帯状金属箔１５ａの両面に活物質の層１６ａを設けて構成されている。
【００２０】
ロータリーダイカット装置２０は、円柱状のロータリーダイカッタ２１と、円柱状のローラ２２とを備える。ロータリーダイカッタ２１とローラ２２は、ロータリーダイカッタ２１の中心軸線２１ａとローラ２２の中心軸線２２ａとが平行な状態に配置されている。なお、ロータリーダイカッタ２１において、中心軸線２１ａの延びる方向を軸線方向とする。ロータリーダイカッタ２１は、図示しない駆動装置によって中心軸線２１ａを回転中心として回転可能であり、ローラ２２は、図示しない駆動装置によって中心軸線２２ａを回転中心として回転可能である。
【００２１】
ロータリーダイカッタ２１は、円柱状のマグネットシリンダ２６と、このマグネットシリンダ２６に磁気吸着された磁性体製のフレキシブルダイ２３とを備える。フレキシブルダイ２３は、電極材料１７から電極１４を打ち抜くための部材である。フレキシブルダイ２３は、マグネットシリンダ２６の径方向に沿って外周面から突出した形状であり、本実施形態では、フレキシブルダイ２３が刃を構成している。フレキシブルダイ２３は、エッチング処理によって金属板から製造される。ローラ２２とロータリーダイカッタ２１とは、ローラ２２の外周面と、ロータリーダイカッタ２１の外周面及びフレキシブルダイ２３とが対向する状態に配置されている。
【００２２】
図４に示すように、ロータリーダイカッタ２１を周方向に展開した展開図では、フレキシブルダイ２３は略四角枠状である。フレキシブルダイ２３の長辺を構成する部位は、ロータリーダイカッタ２１の周方向に延びる部位である。そして、フレキシブルダイ２３は、各長辺を構成する部位に第１刃部２３ａを備える。また、フレキシブルダイ２３の短辺を構成する部位は、ロータリーダイカッタ２１の軸線方向に延びる部位である。そして、フレキシブルダイ２３は、各短辺を構成する部位に第２刃部２３ｂを備える。よって、フレキシブルダイ２３は、一対の第１刃部２３ａと一対の第２刃部２３ｂとを備える。なお、フレキシブルダイ２３は、一対の第１刃部２３ａのうちの一方の第１刃部２３ａに、電極１４のタブ１８を打ち抜くタブ用刃部２４を備える。タブ用刃部２４は、ロータリーダイカッタ２１の軸線方向に沿って延びる長辺部２４ａと、ロータリーダイカッタ２１の周方向に沿って延びる短辺部２４ｂとを備える。
【００２３】
図２、図３（ａ）又は図３（ｂ）に示すように、ロータリーダイカット装置２０は、ロータリーダイカッタ２１に装着される弾性部材３０を備える。弾性部材３０は、弾性を有する材料としてのスポンジによって形成されており、フレキシブルダイ２３に沿う四角枠状である。弾性部材３０は、フレキシブルダイ２３全体を覆う形状であり、フレキシブルダイ２３が挿入される挿入溝３０ａを備える。弾性部材３０は、一対の長辺に沿う部位に第１弾性部３１を備える。一対の第１弾性部３１のうち、一方の第１弾性部３１において、タブ用刃部２４に対応した部位にタブ用弾性部３３を備える。そして、各第１弾性部３１は、それぞれ第１刃部２３ａを覆うとともに、タブ用弾性部３３は、タブ用刃部２４を覆う。また、弾性部材３０は、一対の短辺に沿う部位に第２弾性部３２を備える。各第２弾性部３２は、それぞれ第２刃部２３ｂを覆う。
【００２４】
図２に示すように、上記構成のロータリーダイカット装置２０では、回転するロータリーダイカッタ２１とローラ２２との間に、上述の電極材料１７が送り込まれる。すると、弾性部材３０を介して、フレキシブルダイ２３とローラ２２の外周面との間で電極材料１７が挟み込まれ、弾性部材３０を介したフレキシブルダイ２３によって電極材料１７がローラ２２に向けて押圧される。すると、電極材料１７にフレキシブルダイ２３から荷重が加えられるとともに、電極材料１７から電極１４が打ち抜かれる。
【００２５】
ロータリーダイカッタ２１の回転に伴い、フレキシブルダイ２３は、ロータリーダイカッタ２１の周方向に沿って順番に電極材料１７に押し当てられていく。ここで、ロータリーダイカッタ２１の軸線方向に沿ったロータリーダイカッタ２１の断面視を用いて、フレキシブルダイ２３の電極材料１７への押し当て状態を説明する。
【００２６】
まず、図５（ａ）及び図５（ｃ）に示すように、一方の第２刃部２３ｂにおいて、ロータリーダイカッタ２１の軸線方向に延びる全体が、弾性部材３０の第２弾性部３２を介して電極材料１７に押し当てられる。一方の第２刃部２３ｂは、第２弾性部３２を介して電極材料１７に対し線接触した状態で押し当てられる。
【００２７】
ロータリーダイカッタ２１の回転に伴い、一方の第２刃部２３ｂの後、図５（ｂ）に示すように、一対の第１刃部２３ａが、第１弾性部３１を介して長手方向に沿って順番に押し当てられていく。このとき、各第１刃部２３ａにおいて、その長手方向に沿う一部のみが第１弾性部３１を介して電極材料１７に押し当てられる。よって、各第１刃部２３ａは、第１弾性部３１を介して、長手方向に沿う一部が電極材料１７に対し点接触する状態で押し当てられる。
【００２８】
最後に、フレキシブルダイ２３の他方の第２刃部２３ｂにおいて、ロータリーダイカッタ２１の軸線方向に延びる全体が、第２弾性部３２を介して電極材料１７に押し当てられる。
【００２９】
弾性部材３０は、フレキシブルダイ２３の部位毎に異なる厚みに製造されている。弾性部材３０において、第２弾性部３２、及びタブ用弾性部３３においてタブ用刃部２４の長辺部２４ａを覆う部位、すなわち、ロータリーダイカッタ２１の軸線方向に延びる部位は、その他の部位より薄い。また、弾性部材３０において、第１刃部２３ａを覆う第１弾性部３１、及びタブ用刃部２４の短辺部２４ｂを覆う部位、すなわちロータリーダイカッタ２１の周方向に延びる部位は、その他の部位より厚い。
【００３０】
次に、弾性部材３０を備えたロータリーダイカット装置２０による電極１４の製造方法を説明する。
図６に示すように、まず、ロータリーダイカッタ２１によって電極材料１７を打ち抜く際に、フレキシブルダイ２３によって電極材料１７に作用する面圧に応じて、電極材料１７に発生する応力を応力計測器によって計測・解析し、電極材料１７での応力分布を計測・解析する工程を行う（ステップＳ１１）。次に、応力計測器によって計測・解析された応力分布をパソコン等で立体化して応力分布図を作成する工程を行う（ステップＳ１２）。立体化した応力分布図は、フレキシブルダイ２３に対し、電極材料１７での応力分布を反映させているため、外郭は、フレキシブルダイ２３の形状に合う四角枠状である。そして、立体化された応力分布図では、応力が大きい部位ほど高さが高くなる。したがって、一対の第１刃部２３ａ、及びタブ用刃部２４の短辺部２４ｂのように、電極材料１７に点接触し、電極材料１７に発生する応力が高い部位では、応力分布図の高さは高くなる。一方、一対の第２刃部２３ｂ、及びタブ用刃部２４の長辺部２４ａのように、電極材料１７に線接触し、応力の低い部位では、応力分布図の高さは低くなる。
【００３１】
次に、例えば、スリーディープリンタを使用して、応力分布図をスポンジに具現化し、応力分布を立体化させる工程を行い（ステップＳ１３）、弾性部材３０を製造する（ステップＳ１４）。製造された弾性部材３０において、第１弾性部３１やタブ用弾性部３３において短辺部２４ｂを覆う部位は、応力分布図における応力の大きい部位であり、応力が大きいほど厚みが厚くなっている。
【００３２】
一方、製造された弾性部材３０において、第２弾性部３２や、タブ用弾性部３３において長辺部２４ａを覆う部位は、応力分布図における応力の小さい部位であり、応力が小さいほど厚みが薄くなっている。
【００３３】
ここで、図５（ｃ）に示すように、ロータリーダイカッタ２１の外周面となるマグネットシリンダ２６の表面からのフレキシブルダイ２３の突出量を、フレキシブルダイ２３の高さＬとし、電極材料１７の厚みをＴとする。また、弾性部材３０が、ロータリーダイカッタ２１からの荷重を受けて弾性変形したときの厚みをＨとする。
【００３４】
フレキシブルダイ２３によって電極材料１７がローラ２２に向けて押圧されたとき、弾性部材３０を介したフレキシブルダイ２３によって電極材料１７の打ち抜きを可能とするためには、フレキシブルダイ２３の高さＬが、電極材料１７の厚みＴと、荷重によって弾性変形したときの弾性部材３０の厚みＨとの和よりも長くなる必要がある。これは、荷重によって弾性部材３０が弾性変形したときの厚みＨと電極材料１７の厚みＴとの和が、フレキシブルダイ２３の高さＬ以上であると、フレキシブルダイ２３が電極材料１７を厚み方向に打ち抜ききれないためである。
【００３５】
よって、以下の式が成立する。
Ｌ＞Ｔ＋Ｈ…式
弾性部材３０は、フレキシブルダイ２３の部位毎に厚みを異ならせて製造されるが、電極材料１７に発生する応力が最大となる部位（第１弾性部３１や短辺部２４ｂ）の弾性変形後の厚みＨにおいて、式が成立するように弾性部材３０が製造される。
【００３６】
そして、製造された弾性部材３０をロータリーダイカッタ２１に装着し、弾性部材３０が装着されたフレキシブルダイ２３によって、電極材料１７から電極１４を打ち抜く工程を行う（ステップＳ１５）。その結果、電極材料１７から電極１４が製造される。
【００３７】
ロータリーダイカット装置２０による電極材料１７の打ち抜きの際、弾性部材３０は、フレキシブルダイ２３によって電極材料１７に押し当てられ、圧縮するように弾性変形する。すると、弾性部材３０には、圧縮状態から原形状への復帰力が発生する。ここで、弾性部材３０における第１弾性部３１やタブ用弾性部３３において短辺部２４ｂを覆う部位では、弾性部材３０の厚みが厚いことから、原形状への復帰力も大きくなる。このため、弾性部材３０の復帰力により、フレキシブルダイ２３が電極材料１７から離れる方向へ押し返される。その結果として、フレキシブルダイ２３から電極材料１７に加わる面圧が緩和される。
【００３８】
その一方で、弾性部材３０における第２弾性部３２や、タブ用弾性部３３において長辺部２４ａを覆う部位では、弾性部材３０の厚みが薄いことから原形状への復帰力も小さくなる。このため、フレキシブルダイ２３が電極材料１７から離れる方向へ押し返される力は弱く、フレキシブルダイ２３に発生する面圧が僅かだが緩和される。
【００３９】
その結果として、フレキシブルダイ２３の全体で電極材料１７を押圧する力が均され、フレキシブルダイ２３の全体で、同じ面圧で電極材料１７が押圧され、打ち抜かれる。
上記実施形態によれば、以下のような効果を得ることができる。
【００４０】
（１）ロータリーダイカット装置２０を用いた電極１４の製造方法では、ロータリーダイカッタ２１のフレキシブルダイ２３に弾性部材３０を装着する。そして、弾性部材３０は、電極材料１７に発生する応力に応じて部位毎に厚みが調節されている。具体的には、電極材料１７に発生する応力が大きいほど弾性部材３０の厚みを厚くし、電極材料１７に発生する応力が小さいほど弾性部材３０の厚みを薄くした。このため、フレキシブルダイ２３で電極材料１７を打ち抜く際に、弾性部材３０の部位毎に適した復帰力によって、電極材料１７に作用する面圧を均すことができる。その結果として、電極材料１７においては、フレキシブルダイ２３による押圧によって発生する応力が集中することが抑制され、応力集中を原因とした金属箔からのバリの発生や、活物質の脱落を抑制できる。
【００４１】
（２）ロータリーダイカット装置２０を用いた電極１４の製造方法では、搬送されていく電極材料１７に対し、回転するロータリーダイカッタ２１を押し当てて電極１４を打ち抜く。このため、電極材料１７の搬送を停止させることなく、電極１４を製造することができ、電極１４の生産性が低下しない。
【００４２】
（３）電極材料１７に発生する応力に応じて弾性部材３０を製造する。このため、フレキシブルダイ２３の形状に応じた弾性部材３０を製造することができる。したがって、フレキシブルダイ２３を取り換えることなく、異物の発生を抑制しながら電極１４を製造することができる。
【００４３】
（４）ロータリーダイカッタ２１のフレキシブルダイ２３に弾性部材３０を装着して、電極材料１７から電極１４を打ち抜く。このため、フレキシブルダイ２３が電極材料１７を直接打ち抜く場合と比べると、フレキシブルダイ２３を弾性部材３０で保護し、しかも、弾性部材３０の復帰力によって、フレキシブルダイ２３に発生する応力を緩和することができるため、フレキシブルダイ２３を劣化しにくくすることができる。
【００４４】
（５）ロータリーダイカッタ２１は、マグネットシリンダ２６にフレキシブルダイ２３を磁気吸着して構成されている。フレキシブルダイ２３は、エッチングにより製造でき、フレキシブルダイ２３をマグネットシリンダ２６に磁気吸着するだけでよく、ロータリーダイカッタ２１を簡単に製造できる。
【００４５】
（６）ロータリーダイカット装置２０を用いて製造された電極１４では、金属箔１５に針状のバリが発生しにくい。このため、電極１４を使用した二次電池において、バリによって異なる極性の電極１４が短絡することを抑制できる。
【００４６】
（７）電極材料１７に発生する応力が最大となる部位で弾性変形したときの弾性部材３０の厚みＨにおいて、式（Ｌ＞Ｔ＋Ｈ）が成立するようにした。このため、弾性部材３０が弾性変形してもフレキシブルダイ２３によって電極材料１７を打ち抜くことができる。
【００４７】
なお、上記実施形態は以下のように変更してもよい。
○  ロータリーダイカット装置２０において、ロータリーダイカッタ２１は、マグネットシリンダ２６にフレキシブルダイ２３を磁気吸着させた構成でなくてもよい。ロータリーダイカッタは、円柱状のロータリー部材の表面に、彫刻によって刃を形成したものでもよいし、円柱状のロータリー部材の表面に溝を形成し、その溝に刃を組付けて形成したものでもよい。
【００４８】
○  フレキシブルダイ２３の形状は、電極１４の形状に合わせて適宜変更してもよい。
○  弾性部材３０は、スポンジでなく、ゴムやフェルトのように弾性を有する樹脂材料に変更してもよい。要は、フレキシブルダイ２３によって圧縮された際に、弾性部材３０に、原形状への復帰力を発生させる材質であれば、弾性部材３０の材料は適宜変更してもよい。
【００４９】
○  応力分布図を具現化し、応力分布を反映させた弾性部材３０を製造する際、実施形態ではスリーディープリンタを使用したが、スリーディープリンタ以外の方法で弾性部材３０を製造してもよい。例えば、応力分布図に合った成形型を製造し、その成形型を使用して弾性部材３０を製造してもよい。
【００５０】
○  電極材料１７に発生する応力の計測方法は、電極材料１７をロータリーダイカッタ２１とローラ２２の間に直接挟み込んで計測するのではなく、ロータリーダイカッタ２１とローラ２２の間に加圧フィルム等を挟み込んで計測してもよいし、ＣＡＥ等の解析結果を用いてもよい。
【００５１】
○  実施形態では、シート状物として電極１４に具体化したが、シート状物は、液晶フィルムや、ＦＲＰのような繊維強化プラスチック、基板に配線パターンが形成された電子基板等に具体化してもよい。
【００５２】
○  電極１４は、金属箔１５の両面に活物質層１６を備える構成としたが、金属箔１５の片面に活物質層１６を備える構成であってもよい。
○  電極１４は、金属箔１５の一辺の一部から突出した形状のタブ１８を備える構成としたが、これに限らない。二次電池の電極組立体を、一枚の正極の帯状電極と、一枚の負極の帯状電極とを、捲回軸線を中心に捲回したタイプとした場合、電極は、一方の長手方向全体にタブを備える構成としてもよい。
【００５３】
○  蓄電装置は、二次電池でなく、電気二重層キャパシタ等の他の蓄電装置に適用してもよい。
○  二次電池は、リチウムイオン二次電池であったが、これに限らず、他の二次電池であってもよい。要するに、正極活物質と負極活物質との間をイオンが移動するとともに電荷の授受を行うものであればよい。
【００５４】
次に、上記実施形態及び別例から把握できる技術的思想について以下に追記する。
（イ）前記ロータリーダイカッタは、円柱状のマグネットシリンダと、該マグネットシリンダに磁気吸着されたフレキシブルダイとを備えるロータリーダイカット装置によるシート状物の製造方法。
【００５５】
（ロ）前記シート状物は、蓄電装置の電極であるロータリーダイカット装置によるシート状物の製造方法。
（ハ）前記蓄電装置は二次電池であるロータリーダイカット装置によるシート状物の製造方法。
【符号の説明】
【００５６】
１４…シート状物としての電極、１５ａ…帯状金属箔、１６ａ…活物質の層、１７…長尺材料としての電極材料、２０…ロータリーダイカット装置、２１…ロータリーダイカッタ、２２…ローラ、２３…刃としてのフレキシブルダイ、３０…弾性部材。
【図１】
2017024119.tif 000003
【図２】
2017024119.tif 000004
【図３】
2017024119.tif 000005
【図４】
2017024119.tif 000006
【図５】
2017024119.tif 000007
【図６】
2017024119.tif 000008